(57)【要約】【課題】クラックの発生を低減し、歩留まりよく信頼性の高い液晶ディスプレイパネル、電子機器及びディスプレイパネルを提供すること。【解決手段】本発明に係る液晶ディスプレイパネル１００は、複数のスイッチング素子が配列される画素領域１０１と、外部接続用端子１１１が形成される端子形成領域１０３を一部に含む、前記画素領域１０１に隣接する隣接領域１０２と、が設けられる第１基板１１０と、液晶層を介して前記第１基板１１０に対向して配置される第２基板１２０と、前記第１基板１１０における、前記画素領域１０１から前記隣接領域１０２に延在すると共に、前記端子形成領域１０３に応じた位置に切り欠き部１３１が設けられた形状を有し、前記第１基板１１０に取り付けられる第１偏光板１３０と、前記第２基板１２０に取り付けられる第２偏光板１４０と、を含む。【選択図】図２
2009300854.tif 000002
【特許請求の範囲】
【請求項１】
複数のスイッチング素子が配列される画素領域と、外部接続用端子が形成される端子形成領域を一部に含む、前記画素領域に隣接する隣接領域と、が設けられる第１基板と、
液晶層を介して前記第一基板に対向して配置される第２基板と、
前記第１基板における、前記画素領域及び前記隣接領域が設けられた面とは反対側の面に、前記画素領域から前記隣接領域に対応する位置に延在すると共に、前記端子形成領域に応じた位置に切り欠き部が設けられた形状の偏光板を配置した
ことを特徴とする液晶ディスプレイパネル。
【請求項２】
前記偏光板は、少なくとも前記画素領域と前記隣接領域に対応する位置との境界上であって、前記第１基板の周縁部にある位置に延在する形状であることを特徴とする請求項１に記載の液晶ディスプレイパネル。
【請求項３】
前記切り欠き部は、前記偏光板の一辺にコ字状に設けられていることを特徴とする請求項１に記載の液晶ディスプレイパネル。
【請求項４】
前記切り欠き部は、前記偏光板に島状に設けられていることを特徴とする請求項１に記載の液晶ディスプレイパネル。
【請求項５】
前記切り欠き部の角部には、丸みが付けられていることを特徴とする請求項１に記載の液晶ディスプレイパネル。
【請求項６】
前記端子形成領域には、駆動用集積回路及び外部接続用基板の少なくともいずれかが熱圧着により電気的に接続されることを特徴とする請求項１に記載の液晶ディスプレイパネル。
【請求項７】
請求項１に記載された液晶ディスプレイパネルを備えた電子機器。
【請求項８】
複数のスイッチング素子が配列される画素領域と、外部接続用端子が形成される端子形成領域を一部に含む、前記画素領域に隣接する隣接領域と、が設けられる第１基板と、
液晶層を介して前記第一基板に対向して配置される第２基板と、
前記第１基板における、前記画素領域及び前記隣接領域が設けられた面とは反対側の面に、前記画素領域から前記隣接領域に対応する位置に延在すると共に、前記端子形成領域に応じた位置にコ字状に切り欠き部が設けられた形状の偏光板と、
接着層を介して、前記偏光板に取り付けられるバックライトと、
前記第１基板に前記端子形成領域において電気的に接続された駆動用集積回路と、
前記第１基板に前記端子形成領域において電気的に接続された外部接続用基板と、
を含むことを特徴とする液晶ディスプレイパネル。
【請求項９】
複数のスイッチング素子が配列される画素領域と、外部接続用端子が形成される端子形成領域を一部に含む、前記画素領域に隣接する隣接領域と、が設けられる第１基板と、
前記第１基板に対向して配置される前記第１基板よりも大きさが小さい第２基板と、
前記第１基板における、前記画素領域及び前記隣接領域が設けられた面とは反対側の面に、前記画素領域から前記隣接領域に対応する位置に延在すると共に、前記端子形成領域に応じた位置に切り欠き部が設けられた形状の偏光板と、
を有することを特徴とするディスプレイパネル。
【請求項１０】
前記偏光板は、少なくとも前記画素領域と前記隣接領域に対応する位置との境界上であって、前記第１基板の周縁部にある位置に延在する形状であることを特徴とする請求項９に記載のディスプレイパネル。
【請求項１１】
前記切り欠き部は、前記偏光板の一辺にコ字状に設けられていることを特徴とする請求項９に記載のディスプレイパネル。
【請求項１２】
前記切り欠き部は、前記偏光板に島状に設けられていることを特徴とする請求項９に記載のディスプレイパネル。
【請求項１３】
前記切り欠き部の角部には、丸みが付けられていることを特徴とする請求項９に記載のディスプレイパネル。
【請求項１４】
前記端子形成領域には、駆動用集積回路及び外部接続用基板の少なくともいずれかが熱圧着により電気的に接続されることを特徴とする請求項９に記載のディスプレイパネル。
【請求項１５】
前記第１基板には、ＯＬＥＤ層が配置されていることを特徴とする請求項９に記載のディスプレイパネル。
【請求項１６】
前記偏光板は、円偏光板であることを特徴とする請求項１５に記載のディスプレイパネル。
【発明の詳細な説明】
【技術分野】
【０００１】
本発明は、液晶ディスプレイパネル、電子機器及びディスプレイパネルに関し、特に、基板におけるクラックの発生を低減できる液晶ディスプレイパネル、電子機器及びディスプレイパネルに関する。
【背景技術】
【０００２】
図９は、従来の液晶ディスプレイパネル６００を示す側面図である。液晶ディスプレイパネル６００は、多数のスイッチング素子であるＴＦＴ（Ｔｈｉｎ  Ｆｉｌｍ  Ｔｒａｎｓｉｓｔｏｒ）が形成された第１基板６１０と、カラーフィルターが形成されている第２基板６２０で、液晶層を挟み込んだ構造をしている。そして、それぞれの基板の外側には第１偏光板６３０及び第２偏光板６４０が貼付されており、画像を表示すべく画素が形成されている画素領域６０１を覆っている。
【０００３】
同図に示すように、第１基板６１０は、第２基板６２０より大きく、その一辺が第２基板からはみ出すような大きさとされており、そのはみ出した部分である隣接領域６０２には、電気的接続のための外部接続用端子６１１が形成される端子形成領域６０３が設けられる。外部接続用端子６１１には、通常、駆動用集積回路（ドライバＩＣ）や、液晶ディスプレイパネルを組み込む電子機器と接続するためのフレキシブルプリント基板のような外部接続用基板が電気的に接続される。かかる接続は、異方性導電性粒子を用いた熱圧着により行われることが一般的である。
【０００４】
特許文献１には、上記説明したような構造の液晶ディスプレイパネルが開示されている（図４）。また、第１基板に貼付された偏光板を隣接領域まで延長したものも開示されている（図３）。
【特許文献１】特開平７−１７５０５９号公報
【発明の開示】
【発明が解決しようとする課題】
【０００５】
近年、液晶ディスプレイパネルを始めとするディスプレイパネルを薄型化・軽量化するため、第１基板及び第２基板を薄くすることが求められている。ところが、第１基板及び第２基板を薄くすると、強度が低下して基板が割れてしまったり、欠けてしまったりするというような問題が発生する懸念がある。特に、図９において、第１基板６１０におけるＡ点は、第２基板６２０と貼り合わされ、剛性が高くたわみにくい画素領域６０１と、第１基板６１０単体で、剛性が低くたわみやすい隣接領域６０２との境界に位置するため、振動や外力などが加わると応力集中が発生し、欠損が生じやすい。実際には、製造時やハンドリング時に、第１基板６１０の周縁部において、Ａ点を起点とし、第１偏光板６３０が貼付される境界に位置するＢ点にかけて、図中破線で示すようにクラックが発生することがある。
【０００６】
このようにクラックが発生すると、第１基板上に形成された配線に断線が生じるなどするため製品不良となる。その結果、歩留まりが低下するためコスト高を招くほか、製品自体の信頼性を低下させることになりかねない。
【０００７】
この点に関し、引用文献１には、第１基板に貼付された偏光板を隣接領域に対応する位置まで延長したものが記載されているが、かかる構成を採用することは現実的ではない。なぜなら、前述のとおり、駆動用集積回路や外部接続用基板は熱圧着により接続され、その際の温度はおおよそ１８０℃前後である。それに対し、偏光板は、一般に、ポリビニールアルコールフィルムをトリアセテートフィルムで挟み積層したものが用いられており、８０℃〜９０℃程度の温度までしか耐えることができない。したがって、偏光板を貼付した状態で熱圧着を行うと、その温度には耐えられず、変形や変色を起こしてしまうのである。熱圧着の後で偏光板を貼付することも考えられるが、複雑な形状の駆動用集積回路や外部接続用基板が接続された状態で偏光板を第１基板に貼付することは技術的に困難であり、貼付に失敗した場合には廃棄コストが高くなってしまう。
【０００８】
本発明はかかる観点に鑑みてなされたものであって、その目的は、液晶ディスプレイパネル、電子機器及びディスプレイパネルにおいて、基板におけるクラックの発生を低減し、歩留まりが良く信頼性の高い液晶ディスプレイパネル、電子機器及びディスプレイパネルを提供することである。
【課題を解決するための手段】
【０００９】
本出願において開示される発明のうち、代表的なものの概要を簡単に説明すれば、以下のとおりである。
【００１０】
（１）複数のスイッチング素子が配列される画素領域と、外部接続用端子が形成される端子形成領域を一部に含む、前記画素領域に隣接する隣接領域と、が設けられる第１基板と、液晶層を介して前記第１基板に対向して配置される第２基板と、前記第１基板における、前記画素領域及び前記隣接領域が設けられた面とは反対側の面に、前記画素領域から前記隣接領域に対応する位置に延在すると共に、前記端子形成領域に応じた位置に切り欠き部が設けられた形状の偏光板を配置したことを特徴とする液晶ディスプレイパネル。
【００１１】
（２）（１）において、前記偏光板は、少なくとも前記画素領域と前記隣接領域に対応する位置との境界上であって、前記第１基板の周縁部にある位置に延在する形状であることを特徴とする液晶ディスプレイパネル。
【００１２】
（３）（１）において、前記切り欠き部は、前記偏光板の一辺にコ字状に設けられていることを特徴とする。
【００１３】
（４）（１）において、前記切り欠き部は、前記偏光板に島状に設けられていることを特徴とする液晶ディスプレイパネル。
【００１４】
（５）（１）において、前記切り欠き部の角部には、丸みが付けられていることを特徴とする液晶ディスプレイパネル。
【００１５】
（６）（１）において、前記端子形成領域には、駆動用集積回路及び外部接続用基板の少なくともいずれかが熱圧着により電気的に接続されることを特徴とする液晶ディスプレイパネル。
【００１６】
（７）（１）を備えた電子機器。
【００１７】
（８）複数のスイッチング素子が配列される画素領域と、外部接続用端子が形成される端子形成領域を一部に含む、前記画素領域に隣接する隣接領域と、が設けられる第１基板と、液晶層を介して前記第一基板に対向して配置される第２基板と、前記第１基板における、前記画素領域及び前記隣接領域が設けられた面とは反対側の面に、前記画素領域から前記隣接領域に対応する位置に延在すると共に、前記端子形成領域に応じた位置にコ字状に切り欠き部が設けられた形状の偏光板と、接着層を介して、前記偏光板に取り付けられるバックライトと、前記第１基板に前記端子形成領域において電気的に接続された駆動用集積回路と、前記第１基板に前記端子形成領域において電気的に接続された外部接続用基板と、を含むことを特徴とする液晶ディスプレイパネル。
【００１８】
（９）複数のスイッチング素子が配列される画素領域と、外部接続用端子が形成される端子形成領域を一部に含む、前記画素領域に隣接する隣接領域と、が設けられる第１基板と、前記第１基板に対向して配置される前記第１基板よりも大きさが小さい第２基板と、前記第１基板における、前記画素領域及び前記隣接領域が設けられた面とは反対側の面に、前記画素領域から前記隣接領域に対応する位置に延在すると共に、前記端子形成領域に応じた位置に切り欠き部が設けられた形状の偏光板と、を有することを特徴とするディスプレイパネル。
【００１９】
（１０）（９）において、前記偏光板は、少なくとも前記画素領域と前記隣接領域に対応する位置との境界上であって、前記第１基板の周縁部にある位置に延在する形状であることを特徴とするディスプレイパネル。
【００２０】
（１１）（９）において、前記切り欠き部は、前記偏光板の一辺にコ字状に設けられていることを特徴とするディスプレイパネル。
【００２１】
（１２）（９）において、前記切り欠き部は、前記偏光板に島状に設けられていることを特徴とするディスプレイパネル。
【００２２】
（１３）（９）において、前記切り欠き部の角部には、丸みが付けられていることを特徴とするディスプレイパネル。
【００２３】
（１４）（９）において、前記端子形成領域には、駆動用集積回路及び外部接続用基板の少なくともいずれかが熱圧着により電気的に接続されることを特徴とするディスプレイパネル。
【００２４】
（１５）（９）において、前記第１基板には、ＯＬＥＤ層が配置されていることを特徴とするディスプレイパネル。
【００２５】
（１６）（１５）において、前記偏光板は、円偏光板であることを特徴とするディスプレイパネル。
【発明の効果】
【００２６】
以上の本出願において開示される発明によれば、偏光板により第１基板が補強されるから、クラックの発生を低減することができるとともに、端子形成領域における偏光板には切り欠きが設けられているから、駆動用集積回路や外部接続用基板を問題なく電気的に接続することができる。
【発明を実施するための最良の形態】
【００２７】
以下本発明の好適な第１の実施形態を図面を参照しつつ説明する。
【００２８】
図１は、本実施形態に係る液晶ディスプレイパネル１００の側面図である。なお、図示した部材の寸法の比率は、説明のために誇張して表現したものであり、実際の部材の寸法を正確に反映したものではない。
【００２９】
液晶ディスプレイパネル１００は、複数のスイッチング素子であるＴＦＴと、外部接続用端子１１１が形成された第１基板１１０と、図示しない液晶層を介して第１基板１１０に対向配置されるカラーフィルターが配置されている第２基板１２０、第１基板に取り付けられる第１偏光板１３０、及び、第２基板１２０に取り付けられる第２偏光板１４０を有している。液晶ディスプレイパネル１００にはさらに、第１偏光板１３０に図示しない接着層を介してバックライト１５０が取り付けられるとともに、外部接続用端子１１１において駆動用集積回路１６０及び外部接続用基板１７０が電気的に接続されている。なお、本明細書においては、上述したように、カラーフィルターを第２基板に配置する構成で説明するが、このカラーフィルターは第１基板に配置した構成（カラーフィルター・オン・ＴＦＴ構成）でも良い。また、本明細書では、第２基板１２０に第１偏光板１３０とは別の第２偏光板１４０が配置される構成について説明するが、この第２偏光板１４０は、第２基板１２０と液晶層の間の位置に塗布等により内蔵されていても良い。
【００３０】
図中符号１０１で示す領域は、第１基板１１０上にＴＦＴが配列され、画像を表示することができる画素領域である。そして、画素領域１０１に隣接する符号１０２で示す領域は、隣接領域である。隣接領域１０２においては、第１基板１１０と第２基板１２０とは向かい合っておらず、第１基板１１０の第２基板１２０側表面が露出している。かかる隣接領域１０２の第２基板１２０側表面には、外部接続用端子１１１が形成された端子形成領域１０３が設けられている。そして、第１偏光板１３０は、第１基板１１０の画素領域１０１及び隣接領域１０２が設けられた面とは反対側の面に取り付けられている。
【００３１】
本実施形態においては、第１基板１１０と第２基板１２０はガラスであるが、透明な基板であって使用可能なものであれば各種プラスチック等でも構わない。また、第１偏光板１３０及び第２偏光板１４０は、好適には接着剤により貼り付けることにより第１基板１１０及び第２基板１２０に取り付けられるが、熱接着等適宜の取り付け方法を用いてよい。また、駆動用集積回路１６０及び外部接続用基板１７０は、異方性導電粒子を含むペーストあるいはシートを介して外部接続用端子１１１上に配置されたのち、第１基板１１０の端子形成領域１０３を第１基板１１０の両面から冶具で挟むようにして加圧・加熱され、熱圧着により外部接続用端子１１１と電気的に接続される。
【００３２】
また、本実施形態における液晶ディスプレイパネル１００の駆動方式は特に限定されず、ＩＰＳ（Ｉｎ  Ｐｌａｎｅ  Ｓｗｉｔｃｈｉｎｇ）方式、ＶＡ（Ｖｅｒｔｉｃａｌ  Ａｌｉｇｎｍｅｎｔ）方式、ＴＮ（Ｔｗｉｓｔｅｄ  Ｎｅｍａｔｉｃ）方式等の公知のいずれの駆動方式を用いてもよい。図示したものは、バックライト１５０を有する、いわゆる透過型液晶ディスプレイであるが、反射型液晶ディスプレイであっても構わない。さらに、第１基板にはＴＦＴアレイが形成される、いわゆるアクティブ型の液晶ディスプレイとして示しているが、パッシブ型の液晶ディスプレイであってもよい。
【００３３】
図２は、図１のＸ−Ｘ断面における平面矢視図である。同図には、第１偏光板１３０の平面形状が表れている。第１偏光板１３０は、画素領域１０１から隣接領域１０２に対応する位置に延在し、矩形の第１基板１１０とほぼ同形大である。そして、端子形成領域１０３に応じた位置、すなわち、第１基板１１０における外部接続端子１１１（図示せず）のちょうど裏側に当たる部分には第１偏光板１３０が存在しないよう、その一辺にコ字状の切り欠き部１３１が設けられている。切り欠き部１３１の角部１３２には、図示するように所定の大きさの丸みが付けられている。
【００３４】
第１偏光板１３０をこのような形状とすると、隣接領域１０２においても第１基板１１０に第１偏光板１３０が取り付けられているため、第１基板１１０が補強され、振動や外力が作用したときにもクラックが発生しにくくなる。特に、応力集中によりクラックが発生する際の起点となりやすい、画素領域１０１と隣接領域１０２との境界上であって、第１基板１１０の周縁部である図中Ｃ点においても第１偏光板１３０が延在しているから、クラックの発生を効果的に低減できる。
【００３５】
一方、端子形成領域１０３に応じた位置には第１偏光板１３０が存在しないため、第１偏光板１３０を第１基板１１０に取り付けた後に、駆動用集積回路１６０及び外部接続用基板１７０の熱圧着を行っても、第１偏光板１３０が変形・変色することはない。第１偏光板１３０と端子形成領域１０３との間には、熱圧着時に第１偏光板１３０が変形・変色しない程度の隙間ｄを設けることが好ましい。隙間ｄの値は、通常は１〜５ｍｍ程度でよいが、条件により適宜設定してよい。
【００３６】
また、切り欠き部１３１の角部１３２には、所定の大きさの丸みをつけることが好ましい。こうすることにより、角部１３２における応力集中を緩和し、角部１３２を起点としたクラックの発生を防止することができる。丸みの大きさは、通常は半径１〜５ｍｍ程度でよいが、条件により適宜設定してよい。
【００３７】
なお、ここでは第１偏光板１３０を第１基板１１０とほぼ同形大としたが、第１基板１１０よりやや小さめにしてもかまわない。その場合であっても、できるだけＣ点に近い位置に第１偏光板１３０が延在するように構成することが望ましい。
【００３８】
このように、本実施形態に係る液晶ディスプレイパネル１００によれば、振動や外力が作用したときにもクラックの発生を低減することができ、なおかつ、駆動用集積回路１６０及び外部接続用基板１７０の熱圧着を問題なく行うことができる。
【００３９】
図３は、本発明の好適な第２の実施形態における、図２に対応する平面図である。
【００４０】
本実施形態に係る液晶ディスプレイパネル２００においても、第１の実施形態同様、第１偏光板２３０は画素領域２０１から隣接領域２０２へと延在している。そして、端子形成領域２０３に応じた位置には第１偏光板２３０が存在しないよう、島状の切り欠き部２３１が設けられている。切り欠き部２３１の角部２３２にも、図示するように所定の大きさの丸みが付けられている。
【００４１】
第１偏光板２３０をこのような形状としても、クラックの発生を低減することができる。特に、本実施形態においては、図中Ｃ点におけるクラックの発生だけでなく、図２中におけるＤ点に相当する位置におけるクラックの発生をも効果的に低減できる。
【００４２】
図４は、本発明の好適な第３の実施形態における、図２に対応する平面図である。
【００４３】
本実施形態に係る液晶ディスプレイパネル３００においては、矩形の画素領域３０１の２辺に２つの隣接領域３０２ａ，３０２ｂが隣接している。そして、隣接領域３０２ａには端子形成領域３０３ａが、隣接領域３０２ｂには端子形成領域３０３ｂ，３０３ｃがそれぞれ設けられ、端子形成領域３０３ａには駆動用集積回路と外部接続用基板が、端子形成領域３０３ｂ，３０３ｃにはそれぞれ駆動用集積回路が電気的に接続される。第１偏光板３３０は、画素領域３０１から２つの隣接領域３０２ａ，３０２ｂへと延在しており、３つの端子形成領域３０３ａ，３０３ｂ，３０３ｃに応じた位置にそれぞれ切り欠き部３３１ａ，３３１ｂ，３３１ｃを有している。
【００４４】
このように、隣接領域３０２ａ，３０２ｂが複数存在していてもよく、端子形成領域３０３ａ，３０３ｂ，３０３ｃ、切り欠き部３３１ａ，３３１ｂ，３３１ｃを複数設けてもよい。また、１の切り欠き部に複数の端子形成領域を設けることもできる。切り欠き部３３１ａ，３３１ｂ，３３１ｃをコ字状でなく島状としてもよいことは言うまでもない。
【００４５】
図５は、本発明の好適な第４の実施形態における、図２に対応する平面図である。
【００４６】
本実施形態に係る液晶ディスプレイパネル４００においては、端子形成領域４０３の配置に応じて、第１偏光板４３０の切り欠き部４３１が、図示するように第１偏光板４３０の隣り合う２辺から、第１偏光板４３０の角を切り取るように設けられている。このようにしても、第１の実施形態よりは効果は劣るものの、効果的にクラックの発生を低減することができる。
【００４７】
なお、切り欠き部の形状は、以上説明した形状に限定されるものではなく、端子形成領域に応じた位置に設けられていればどのような形状でもよい。また、駆動用集積回路は１つでも、複数設けられてもよいし、液晶ディスプレイパネルの外部に設けるようにしてもよい。
【００４８】
図６は、本発明の好適な第５の実施形態を示す側面断面図であり、図７は、図６の紙面中下方向からみた同実施形態を示す平面図である。
【００４９】
本実施形態では、第１の実施形態乃至第４の実施形態において説明した液晶ディスプレイパネルの構成ではなく、ＯＬＥＤ（有機ＬＥＤ）ディスプレイパネルの構成を示すものである。
【００５０】
ＯＬＥＤディスプレイパネル５００は、複数のスイッチング素子であるＴＦＴと、外部接続用端子５１１が形成された第１基板５１０と、第１基板５１０に対向配置される乾燥剤５２１が配置されている第２基板５２０（封止基板とも呼ぶ）、第１基板５１０に取り付けられる偏光板５３０を有している。ここで、例えば、青色の強度が弱いＯＬＥＤディスプレイパネルのような場合には、この偏光板５３０として青色の光を再利用する青色強調円偏光フィルムを使用することも有効である。第１基板５１０には、ＯＬＥＤ層５１２が配置されており、このＯＬＥＤ層５１２から発せられた光は、第１基板５１０、及び偏光板５３０を通過して出光される。第１基板５１０と第２基板５２０は、例えばガラスで構成された基板であり、第１基板５１０と第２基板５２０間に封止ガスを封入して封止材５２２により結合されている。また第１基板５１０の外部接続用端子５１１には、駆動用集積回路５６０及びフレキシブルプリント基板のような外部接続用基板５７０が電気的に接続されており、この外部接続用基板５７０上には周辺回路ＩＣ５７１が搭載されている。
【００５１】
このようなＯＬＥＤディスプレイパネルの構成においても、第１基板５１０と第２基板５２０の大きさが異なり、第１基板５１０の第２基板５２０とは重畳している領域（画素領域５０１）と第１基板５１０の第２基板５２０とが重畳していない領域（隣接領域５０２）の境界部分において、基板の割れや欠けの問題が発生する可能性があるので、第１基板における、画素領域５０１及び隣接領域５０２が設けられた面とは反対側の面に、画素領域５０１から隣接領域５０２に対応する位置に延在すると共に、外部接続用端子５１１が形成される端子形成領域５０３に応じた位置に切り欠き部５３１が設けられた形状の偏光板５３０を配置することにより、第１の実施形態乃至第４の実施形態において説明した効果と同様の効果が得られる。
【００５２】
図８は、本発明に係る液晶ディスプレイパネル１００を備えた電子機器を示す図であり、図中（ａ）は携帯電話、（ｂ）はパーソナルコンピューター、（ｃ）は液晶テレビである。いずれの電子機器においても、液晶ディスプレイパネル１００におけるクラックの発生が低減されているため、歩留まりよく製造でき、信頼性も高い。
【００５３】
以上説明した本発明に係る液晶ディスプレイパネル、電子機器及びディスプレイパネルによれば、基板におけるクラックの発生を低減でき、歩留まりが良く信頼性も高い。
【図面の簡単な説明】
【００５４】
【図１】本発明の好適な第１の実施形態に係る液晶ディスプレイパネルの側面図である。
【図２】図１のＸ−Ｘ断面における平面矢視図である。
【図３】本発明の好適な第２の実施形態における、図２に対応する平面図である。
【図４】本発明の好適な第３の実施形態における、図２に対応する平面図である。
【図５】本発明の好適な第４の実施形態における、図２に対応する平面図である。
【図６】本発明の好適な第５の実施形態を示す側面断面図である。
【図７】本発明の好適な第５の実施形態を示す平面図である。
【図８】本発明に係る液晶ディスプレイパネルを備えた電子機器を示す図である。
【図９】従来の液晶ディスプレイパネルを示す側面図である。
【符号の説明】
【００５５】
１００，２００，３００，４００，６００  液晶ディスプレイパネル、１０１，２０１，３０１，５０１，６０１  画素領域、１０２，２０２，３０２ａ，３０２ｂ，５０２，６０２  隣接領域、１０３，２０３，３０３ａ，３０３ｂ，３０３ｃ，４０３，５０３，６０３  端子形成領域、１１０，５１０，６１０  第１基板、１１１，５１１，６１１  外部接続用端子、１２０，５２０，６２０  第２基板、１３０，２３０，３３０，４３０，６３０  第１偏光板、１３１，２３１，３３１ａ，３３１ｂ，３３１ｃ，４３１，５３１  切り欠き部、１３２，２３２  角部、１４０，６４０  第２偏光板、１５０  バックライト、１６０，５６０  駆動用集積回路、１７０，５７０  外部接続用基板、５００  ＯＬＥＤディスプレイパネル、５３０  偏光板、５１２  ＯＬＥＤ層、５２１  乾燥剤、５２２  封止材、５７１  周辺回路ＩＣ。
【図１】
2009300854.tif 000003
【図２】
2009300854.tif 000004
【図３】
2009300854.tif 000005
【図４】
2009300854.tif 000006
【図５】
2009300854.tif 000007
【図６】
2009300854.tif 000008
【図７】
2009300854.tif 000009
【図８】
2009300854.tif 000010
【図９】
2009300854.tif 000011